(57)【要約】【課題】外部接続端子を保護する従来のカバー部材では、筐体内への張り出しが大きく、部品配置等の設計の自由度が得られず、また、部品の共通化が図られていないため、部品点数を削減することができなかった。【解決手段】折り畳み式の携帯端末装置１に備える外部接続端子１２を保護するカバー部材１３を、外部接続端子１２を覆う蓋部１４と、この蓋部１４より撓みを持って延設された舌片部１５と、この舌片部１５の先端に設けられた突起部１６とから構成し、カバー部材１３の突起部１６を筐体内面３ａに開口させた孔３ｃに挿通、突出させることによりカバー部材１３を一方の筐体３に取着するとともに、筐体内面３ａより突出する突起部１６によって他方の筐体２がキー８と摺動しないような隙間を設けるようにする。【選択図】図２
2004062549.tif 000002
【特許請求の範囲】
【請求項１】
２つの筐体を連結部によって折り畳み可能に連結してなり、いずれか一方の筐体にその内面より突出するキーを備えるとともに、少なくともいずれか一方の筐体に外部接続端子と、該外部接続端子を保護するカバー部材を具備する携帯端末装置において、上記カバー部材は、上記外部接続端子を覆う蓋部と、該蓋部より撓みを持って延設された舌片部と、該舌片部の先端に設けられた突起部とからなり、上記カバー部材の突起部を上記一方の筐体内面に開口させた孔に挿通、突出させることにより上記カバー部材を一方の筐体に取着するとともに、上記一方の筐体内面より突出する突起部によって他方の筐体との間に隙間を設けるようにしたことを特徴とする携帯端末装置。
【請求項２】
上記舌片部は一対の弾性片からなり、各弾性片には湾曲部を設けて撓ませてあることを特徴とする請求項１に記載の携帯端末装置。
【請求項３】
上記外部接続端子は上記連結部より離れた筐体端部に配置してあり、上記カバー部材の突起部を上記筐体端部近傍の内面より突出させてあることを特徴とする請求項１又は請求項２に記載の携帯端末装置。
【発明の詳細な説明】
【０００１】
【発明の属する技術分野】
本発明は、折り畳み構造を有する携帯電話機やＰＤＡ（Ｐｅｒｓｏｎａｌ　Ｄｉｇｉｔａｌ　Ａｓｓｉｓｔａｎｔｓ）等の外部接続端子を備えた携帯端末装置に関するものである。
【０００２】
【従来の技術】
近年、携帯電話機やＰＤＡ（Ｐｅｒｓｏｎａｌ　Ｄｉｇｉｔａｌ　Ａｓｓｉｓｔａｎｔｓ）等の携帯端末装置は、携帯性を高めるために折り畳み機構を持ったものが普及しつつある。
【０００３】
例えば、図６に従来の携帯端末装置の一例を示すように、この携帯端末装置３１は携帯電話機に関するもので、ヒンジ部３４により開閉可能に連結された第１の筐体３２と第２の筐体３３とからなり、上記第１の筐体３２の内面側には液晶表示装置等の表示部３５とスピーカー部３６を備えるとともに、上記第２の筐体３３の内面側にはキー操作部３７とマイク部３９を備え、携帯端末装置３１を使用しない時には、図６に示すように折り畳んで小型化し、使用時にはヒンジ部３４を中心に第１の筐体３２を第２の筐体３３に対して回動させて開くことで使用するようになっていた。
【０００４】
また、第二の筐体３３の内面側にあるキー操作部３７は、その操作性を高めるためにキー３８を内面３３ａより若干突出させてあるが、折り畳みの際に第一の筐体３２と摺動して傷付く恐れがあるため、折り畳んだ際に第一の筐体３２と第二の筐体３３との間に、キー３８の突出量よりも大きな隙間Ｔを設けるようになっており、この隙間Ｔは第二の筐体３３の内面３３ａに形成された突起３３ｂが第一の筐体３２の内面３２ａに形成された窪み３２ｂに取着する弾性部材４０と当接させることによって形成するようになっていた。
【０００５】
また、第二の筐体３３の端部には通信用のＩ／Ｏコネクタや充電用のコネクタ等の外部接続端子４１が設けられており、ゴミやホコリ等の侵入を防止する必要があるため、使用しない時には弾性体からなるカバー部材４２によって覆うようになっており、このようなカバー部材４２としては、例えば図７に示すように、外部接続端子４１を塞ぐ蓋部４３と、この蓋部４３より延設された舌片部４４とからなり、舌片部４４の先端両側には抜け防止部４５を備え、筐体３３に形成されている二本のピン４６の間に上記カバー部材４２の舌片部先端を挿通させることにより取着してあり、カバー部材４２を開ける時には、蓋部４３に指や爪を引っ掛けて引き出すことにより外部接続端子４１を露出させるようになっていた。
【０００６】
【発明が解決しようとする課題】
しかしながら、図６に示す携帯端末装置３１のように、第二の筐体３３の内面３３ａに突起３３ｂを形成するとともに、第一の筐体３２の内面３２ａに弾性部材４０を設けたものでは、双方の筐体３２，３３に突起３３ｂと凹部３２ｂを形成しなければならず、各筐体３２，３３の構造が複雑化するとともに、各筐体３２，３３を製作するのに使用する金型も複雑になるために携帯端末装置３１が高価なものになってしまうといった課題があった。
【０００７】
また、近年、携帯端末装置３１の小型化に伴って部品の共通化を図り、部品点数の低減が要求されているが、第一の筐体３２と第二の筐体３３の隙間Ｔを規制する突起３３ｂ及び弾性部材４０とカバー部材４２は別々に製作されていたために部品点数を減らすことができないといった課題もあった。
【０００８】
さらに、図７に示すカバー部材４２を備えたものでは、舌片部４４をある程度長くする必要があり、それ故、蓋部４３を閉じた時には舌片部４４が第二の筐体３３内に大きく突出することになるため、筐体３３内に組み込む部品配置等が制約を受け、設計の自由度が損なわれるといった課題もあった。
【０００９】
その上、蓋部４３を引き出す際には摩擦係数の大きな舌片部４４とピン４６が摺動し、蓋部４３をスムーズに引き出すことが難しく、また、カバー部材４２は完全に固定された構造ではないため、蓋部４３をどこかに引っ掛けた状態で大きな力が加わると筐体３３から外れ、カバー部材４２を紛失してしまうといった恐れもあった。
【００１０】
【発明の目的】
本発明の目的は、簡単な構造でありながら外部接続端子のカバー部材を比較的スムーズに開くことができるとともに、部品点数を少なくすることができ、かつ携帯端末装置の折り畳み時に２つの筐体の間に隙間を設けてキーの傷付きを防止することが可能なカバー部材を備えた携帯端末装置を提供することにある。
【００１１】
【課題を解決するための手段】
そこで、本発明は上記課題に鑑み、２つの筐体を連結部によって折り畳み可能に連結してなり、いずれか一方の筐体にその内面より突出するキーを備えるとともに、少なくともいずれか一方の筐体に外部接続端子と、この外部接続端子を保護するカバー部材を具備する携帯端末装置において、上記カバー部材を、上記外部接続端子を覆う蓋部と、この蓋部より撓みを持って延設された舌片部と、この舌片部の先端に設けられた突起部とから構成し、上記カバー部材の突起部を上記一方の筐体内面に開口させた孔に挿通、突出させることにより上記カバー部材を上記一方の筐体に取着するとともに、上記一方の筐体内面より突出する突起部によって他方の筐体との間に隙間を設けるようにしたことを特徴とする。
【００１２】
また、カバー部材の舌片部は一対の弾性片とし、各弾性片には湾曲部を設けて撓ませるようにすることが好ましい。
【００１３】
さらに、上記外部接続端子は、筐体の連結部より離れた端部に配置するとともに、カバー部材の突起部を上記筐体端部近傍の内面より突出させるようにすることが好ましい。
【００１４】
【発明の実施の形態】
以下、本発明の実施形態について説明する。
【００１５】
図１は本発明の携帯端末装置の折り畳んだ時の状態を示す断面図、図２は図１のＡ部を拡大した断面図、図３は図１のＡ部に備えるカバー部材を閉じた時の状態を示す斜視図、図４は図１のＡ部に備えるカバー部材を開いた時の状態を示す斜視図、図５は本発明の携帯端末装置に備えるカバー部材を示す斜視図である。
【００１６】
この携帯端末装置１は携帯電話機に関するもので、ヒンジ部４により開閉可能に連結する第１の筐体２と第２の筐体３とからなり、上記第１の筐体２の内面２ａ側には液晶表示装置等の表示部５とスピーカー部６を備えるとともに、上記第２の筐体３の内面３ａ側にはキー操作部７とマイク部９を備え、携帯端末装置１を使用しない時には図１に示すように折り畳んで小型化し、携帯し易くするとともに、使用時にはヒンジ部４を中心に第一の筐体２を第二の筐体３に対して回動させて開くことで、電話をかけたり、情報の入力や情報の読み出し／読み込み等を行うようになっている。
【００１７】
また、第二の筐体３内には、無線送受信部や制御部等を含む回路基板１０、電池１１、通信用Ｉ／Ｏコネクタとしての外部接続端子１２をそれぞれ内蔵してあり、外部接続端子１２は第二の筐体３のヒンジ部４と反対側の端部に配置してある。また、外部接続端子１２にはゴミやホコリが侵入することを防止するためにカバー部材１３を設けてあり、このカバー部材１３は、図５に示すように、外部接続端子１２を覆う蓋部１４と、この蓋部１４の一方の主面に対して略直角に撓みを持って延設される舌片部１５と、この舌片部１５の先端に略直角に設けられた突起部１６とからなり、ゴムや弾性を有する樹脂等の弾性体により一体的に形成してある。
【００１８】
また、舌片部１５は一対の弾性片１７からなり、各弾性片１７は湾曲部１７ａを設けることによって撓みを持たせてあり、突起部１６側を固定した状態で蓋部１４を図５の矢印の方向に引っ張ると、弾性片１７の湾曲部１７ａが変形して弾性片１７の長さを可変し得るようになっている。なお、ここで、撓みを持って延設された舌片部１５とは、図５に示す構造だけに限定されるものではなく、引っ張った際に舌片部１５の長さを可変し得るように構成されていれば構わない。
【００１９】
そして、図２に示すように、第二の筐体３の内面３ａに開口させてある孔３ｃに上記カバー部材１３の突起部１６を挿通、突出させることによりカバー部材１３を筐体３に取着するとともに、内面３ａより突出させた突起部１６に第一の筐体２との隙間を規制するストッパとしての機能を持たせてある。なお、突起部先端１８ａから内面３ａまでの突出量Ｖは、キー頂面８ａから内面３ａまでの突出量Ｗよりも大きくしてある。また、カバー部材１３の舌片部１５は回路基板１０上に配置してある。
【００２０】
その為、第一の筐体２を第二の筐体３に対して折り畳んだ時、第一の筐体２を第二の筐体３の内面３ａより突出させた突起部１６で支持し、第一の筐体２と第二の筐体３との間に、キー８の突出量Ｗよりも大きな隙間を形成することができるため、キー頂面８ａが第一の筐体２と摺動することによって傷付くことを防止することができる。
【００２１】
また、第一の筐体２と第二の筐体３の隙間を規制する突起部１６はカバー部材１３に一体的に形成してあるため、部品の共通化を図ることができ、部品点数を低減することができる。
【００２２】
しかも、突起部１６は弾性体からなるため、従来のような突起との接触に伴う傷付き防止用の弾性部材が不要で、突起部１６と当接する第一の筐体２の内面２ａには何ら加工を施す必要がないため、第一の筐体２の構造を簡単にすることができるとともに、筐体２を製作するのに用いる金型構造も簡単になるため、結果として携帯端末装置１を安価に製作することができる。
【００２３】
さらに、本実施形態では、外部接続端子１２を第二の筐体３のヒンジ部４と反対側の端部に配置するとともに、外部接続端子１２を覆うカバー部材１３の突起部１６も第二の筐体３のヒンジ部４と反対側の端部内面３ａに突出させてあることから、携帯端末装置１を折り畳んだ時には、キー操作部７の両端に配置されたヒンジ部４と突起部１６とで第一の筐体２を支持することができるとともに、第一の筐体２に押圧力が作用したとしてもキー８と接触することを効果的に防止することができる。
【００２４】
また、外部接続端子１２を使用する場合、カバー部材１３の蓋部１４に爪や指等を引っ掛けて持ち上げることにより蓋部１４を開けるのであるが、この時、蓋部１４は筐体３より引き出した後、持ち上げることができるため、蓋部１４をスムーズに開くことができる。
【００２５】
即ち、本発明のカバー部材１３には、撓みを持たせた舌片部１５を有することから、蓋部１４を開ける際、舌片部１５の湾曲部１７ａが変形して伸びるため、蓋部１４を筐体３よりスムーズに引き出すことができるとともに、舌片部１５は厚みがそれ程厚くなく変形し易いため、蓋部１４を容易に持ち上げることができる。
【００２６】
その為、従来のカバー部材のように舌片部とピンとが大きな摩擦をもって摺動するようなことがなく、蓋部１４を容易に開けることができる。
【００２７】
また、本発明のカバー部材１３の舌片部１５は、湾曲部１７ａを設けて撓みを持たせてあるため、舌片部１５の長さを図７に示す従来のカバー部材と比較して短くすることができるため、筐体３内への張り出しが小さく、それ故、筐体３に組み込む部品配置等が制約を受け難いため、設計の自由度を高めることもできる。
【００２８】
以上、本発明の実施形態について示したが、本発明はこれらの実施形態だけに限定されるものではなく、例えば、外部接続端子１２とそのカバー部材１３を第二の筐体３の端部以外に側面に配置したり、あるいは外部接続端子１２とそのカバー部材１３を第一の筐体２側に配置するようにしても構わない。
【００２９】
また、本発明の実施形態ではヒンジ部４を用いて折り畳み可能に構成した携帯端末装置１について示したが、他の連結部によって折り畳み可能に構成したものにも適用することができる。
【００３０】
さらに、本実施形態では携帯電話機を基に説明したが、折り畳み構造を有するＰＤＡ（Ｐｅｒｓｏｎａｌ　Ｄｉｇｉｔａｌ　Ａｓｓｉｓｔａｎｔｓ）等の外部接続端子を有する携帯端末装置にも適用することができる。
【００３１】
このように、本発明の要旨を逸脱しない範囲で改良や変更したものにも適用することができることは言う迄もない。
【００３２】
【発明の効果】
以上のように、本発明によれば、２つの筐体を連結部によって折り畳み可能に連結してなり、いずれか一方の筐体にその内面より突出するキーを備えるとともに、少なくともいずれか一方の筐体に外部接続端子と、該外部接続端子を保護するカバー部材を具備する携帯端末装置において、上記カバー部材を、上記外部接続端子を覆う蓋部と、この蓋部より撓みを持って延設された舌片部と、この舌片部の先端に設けられた突起部とから構成し、上記カバー部材の突起部を上記一方の筐体内面に開口させた孔に挿通、突出させることにより上記カバー部材を取着するとともに、上記一方の筐体内面より突出する突起部によって他方の筐体との間に隙間を設けるようにしたことによって、折り畳んだ際に一方の筐体内面より突出するキー頂面が他方の筐体と接触して傷付くことを防止することができるとともに、外部接続端子のカバー部材に２つの筐体の隙間を規制するストッパー機能を持たせたことから部品点数を低減することができる。
【００３３】
また、カバー部材の突起部を弾性体により形成することで、従来のような突起との接触に伴う傷付き防止用の弾性部材が不要となり、突起部と当接する筐体内面に何ら加工を施す必要がないため、筐体の構造を簡単にすることができるとともに、筐体を製作するのに用いる金型構造も簡単になるため、結果として携帯端末装置を安価に製作することができる。
【００３４】
さらに、外部接続端子を使用する場合、カバー部材の蓋部に爪や指等を引っ掛け、スムーズに持ち上げることができるため、取り扱いが容易で、特にカバー部材の舌片部を一対の弾性片から構成するとともに、各弾性片に湾曲部を設けて撓みを持たせることにより蓋部の開閉をよりスムーズに行うことができ好ましい。
【００３５】
また、カバー部材を備える筐体内への張り出しを小さくすることができるため、筐体に組み込む部品配置等が制約を受け難く、設計の自由度を高めることもできる。
【００３６】
さらに、本発明によれば、外部接続端子を、連結部より離れた筐体端部に配置するとともに、カバー部材の突起部を上記筐体端部近傍の内面より突出させることにより、折り畳んだ状態において一方の筐体に押圧力が作用したとしても連結部と突起部によって支持し、キーが対向する筐体と接触して傷付くことを効果的に防止することができる。
【図面の簡単な説明】
【図１】本発明の携帯端末装置を折り畳んだ時の状態を示す断面図である。
【図２】図１のＡ部を拡大した断面図である。
【図３】図１のＡ部に備えるカバー部材を閉じた時の状態を示す斜視図である。
【図４】図１のＡ部に備えるカバー部材を開いた時の状態を示す斜視図である。
【図５】本発明の携帯端末装置に備えるカバー部材を示す斜視図である。
【図６】従来の携帯端末装置を折り畳んだ時の状態を示す断面図である。
【図７】従来の携帯端末装置に備えるカバー部材を示す平面図である。
【符号の説明】
１：携帯端末装置　２：第一の筐体　２ａ：内面　３：第二の筐体　３ａ：内面
４：ヒンジ部　５：表示部　６：スピーカー部　７：キー操作部　８：キー
９：マイク部　１０：回路基板　１１：電池　１２：外部接続端子
１３：カバー部材　１４：蓋部　１５：舌片部　１６：突起部　１７：弾性片
１７ａ：湾曲部　３１：携帯端末装置　３２：第一の筐体　３２ａ：内面
３３：第二の筐体　３３ａ：内面　３４：ヒンジ部　３５：表示部
３６：スピーカー部　３７：キー操作部　３８：キー　３９：マイク部
４０：弾性部材　４１：外部接続端子　４２：カバー部材　４３：蓋部
４４：舌片部　４５：抜け防止部　４６：ピン
【図１】
2004062549.tif 000003
【図２】
2004062549.tif 000004
【図３】
2004062549.tif 000005
【図４】
2004062549.tif 000006
【図５】
2004062549.tif 000007
【図６】
2004062549.tif 000008
【図７】
2004062549.tif 000009